(57)【要約】  開口部（１０）を有する筐体（２）と、前記開口部（１０）を開放する第一位置（Ｐ１）と、前記第一位置（Ｐ１）よりも前記開口部（１０）の内側に位置して前記開口部（１０）を閉塞する第二位置（Ｐ２）との間でスライド移動可能とされた蓋部（２０）と、前記蓋部（２０）における前記開口部（１０）の内側を向く面に設けられ、前記蓋部（２０）が前記第一位置（Ｐ１）にある際に前記筐体（２）に接触不能とされるとともに、前記蓋部（２０）が前記第二位置（Ｐ２）にある際に前記開口部（１０）内に圧入される弾性部材（２２）とを備えることを特徴とする防水構造。開口部への弾性部材の圧入不良を抑制することが可能となり、防水性能の向上を図ることができる。
2012157414.tif 000002
【特許請求の範囲】
【請求項１】
開口部を有する筐体と、
前記開口部を開放する第一位置と、前記第一位置よりも前記開口部の内側に位置して前記開口部を閉塞する第二位置との間でスライド移動可能とされた蓋部と、
前記蓋部における前記開口部の内側を向く面に設けられ、前記蓋部が前記第一位置にある際に前記筐体に接触不能とされるとともに、前記蓋部が前記第二位置にある際に前記開口部に圧入される弾性部材とを備えることを特徴とする防水構造。
【請求項２】
前記第一位置と前記第二位置とにわたって前記筐体に設けられ、前記第二位置に対応する部分が前記第一位置に対応する部分に比べて前記開口部の内側に位置するガイド部と、
前記蓋部に設けられ、前記ガイド部に対して該ガイド部の延在方向にスライド可能に係合する被ガイド部とを備えることを特徴とする請求項１に記載の防水構造。
【請求項３】
請求項１又は２に記載の防水構造を備えることを特徴とする電子機器。
【請求項４】
筐体の開口部を開放する第一位置と、前記第一位置よりも前記開口部の内側に位置して前記開口部を閉塞する第二位置との間でスライド移動可能に蓋部を配置し、
前記蓋部を前記第一位置から前記第二位置に移動させると同時に、前記蓋部における前記開口部の内側を向く面に設けられた弾性部材を前記開口部に圧入することを特徴とする防水方法。
【発明の詳細な説明】
【技術分野】
【０００１】
本発明は、電子機器の開口部を水密に閉塞する防水構造とこれを備えた電子機器、及び防水方法に関するものである。
本願は、２０１１年５月１６日に出願された特願２０１１−１０９２０６号に基づき優先権を主張し、その内容をここに援用する。
【背景技術】
【０００２】
近年、携帯電話端末、携帯型ゲーム機、ノート型ＰＣ、デジタルカメラ等の電子機器としては、通話、ゲーム、文書管理や撮影といった基本機能に加え、インターネット機能等の我々の生活を便利にする付加機能を備えるものが多く普及している。このため、これら電子機器は生活に深く浸透してきており、常に携帯することが多くなってきている。従って、雨天時における屋外での上記電子機器の使用の可能性も想定され、実生活の様々な場面での使用に対しこれら電子機器の信頼性を確保するため、防水性能を備えた電子機器の需要が高まっている。【０００３】
上記電子機器の防水構造としては、例えば、特許文献１にあるようにパッキンを有するスライド式のカバーによって防水を行なうものや、開口部に対してパッキンを有するカバーを圧入するもの等、様々の構造が知られている。
【先行技術文献】
【特許文献】
【０００４】
【特許文献１】特開２００７−１５７７７９号公報
【発明の概要】
【発明が解決しようとする課題】
【０００５】
しかしながら、上述の防水構造においては、カバーを開いた状態ではパッキンが外部へ露出し、このパッキン表面に埃や塵が付着したり傷が付くことによって、開口部とパッキンとの間に間隙が生じ、防水性能が低下してしまう恐れがあった。【０００６】
本発明はこのような事情を考慮してなされたもので、防水性能の向上を図ることができる防水構造とこれを備えた電子機器、及び防水方法を提供することを目的とする。
【課題を解決するための手段】
【０００７】
上記課題を解決するため、本発明は以下の手段を採用している。
即ち、本発明に係る防水構造は、開口部を有する筐体と、前記開口部を開放する第一位置と、前記第一位置よりも前記開口部の内側に位置して前記開口部を閉塞する第二位置との間でスライド移動可能とされた蓋部と、前記蓋部における前記開口部の内側を向く面に設けられ、前記蓋部が前記第一位置にある際に前記筐体に接触不能とされるとともに、前記蓋部が前記第二位置にある際に前記開口部に圧入される弾性部材とを備えることを特徴とする。【０００８】
また、発明に係る電子機器は、上記の防水構造を備えることを特徴とする。【０００９】
さらに、本発明に係る防水方法は、筐体の開口部を開放する第一位置と、前記第一位置よりも前記開口部の内側に位置して前記開口部を閉塞する第二位置との間でスライド移動可能に蓋部を配置し、前記蓋部を前記第一位置から前記第二位置に移動させると同時に、前記蓋部における前記開口部の内側を向く面に設けられた弾性部材を前記開口部に圧入することを特徴とする。
【発明の効果】
【００１０】
本発明に係る防水構造とこれを備えた電子機器、及び防水方法とによれば、開口部を有する筐体の、開口部への弾性部材の圧入不良を抑制することが可能となり、防水性能の向上を図ることができる。
【図面の簡単な説明】
【００１１】
【図１】本発明の実施形態に係る電子機器におけるカバーが第一位置にある場合を正面から見た断面図である。
【図２】本発明の実施形態に係る電子機器におけるカバーが第一位置にある場合を側面から見た断面図であって、図１のＡ−Ａ断面を示す図である。
【図３】本発明の実施形態に係る電子機器におけるカバーが第二位置にある場合を正面から見た断面図である。
【図４】本発明の実施形態に係る電子機器におけるカバーが第二位置にある場合を側面から見た断面図であって、図３のＢ−Ｂ断面を示す図である。
【図５】本発明の実施形態に係る電子機器におけるカバーが第二位置にある場合を側面から見た断面図であって、図３のＣ−Ｃ断面を示す図である。
【発明を実施するための形態】
【００１２】
以下、図１から図５を参照し、本発明の実施形態に係る電子機器１について説明する。
電子機器１は、例えば、外部機器接続口となるコネクタ等の開口部１０を備える携帯電話端末や携帯型ゲーム機等である。
そして、この電子機器１は、構成部品が収容され開口部１０を有する筐体２と、開口部１０を外側から開閉可能にスライド移動するカバー３とを備えている。
なお、以下では、カバー３がスライド移動する方向をスライド方向と称する。
【００１３】
開口部１０は、筐体２の内外を連通させる矩形状の孔を有しており、カバー３のスライド方向に平行な開口面１２を通じて開口部１０の外側へ開口している。ここで、図３に示すように、本実施形態における開口面１２とは、幅方向で開口部分からその両端の面部分を指し、段差のある部分をも含んでいる。
また、開口部１０の孔の形状は矩形状に限らない。
【００１４】
筐体２は、内部が空洞の箱型形状をなしており、開口部１０の外側、即ち、開口方向外側の空間にカバー移動部Ｐが形成されている。
また、このカバー移動部Ｐを開口方向及びスライド方向に直交する方向の外側、即ち、幅方向外側から挟み込むように、一対の立設部１３がスライド方向に延在するように筐体２に設けられている。
さらに、筐体２には、開口面１２の両側縁に沿って延在し、カバー３を開口方向内側から支持する一対のガイド面１１が設けられている。
なお、筐体２の形状は箱型形状に限定されない。
【００１５】
カバー移動部Ｐは、スライド方向一方側に位置しカバー３が開口面１２を完全に開放する第一位置Ｐ１と、スライド方向他方側に位置しカバー３が開口面１２を完全に閉塞する第二位置Ｐ２とを有する。また、第一位置Ｐ１におけるスライド方向一方側の端部には筐体２より開口方向外側に向かって立設される第一壁部８が形成され、第二位置Ｐ２におけるスライド方向他方側の端部には筐体２より開口方向外側に向かって筐体２より立設される第二壁部９が形成されている。従って、この第一壁部８と第二壁部９との間にわたってカバー移動部Ｐが形成されている。
【００１６】
立設部１３は、第一位置Ｐ１から第二位置Ｐ２にわたってスライド方向に延在し、カバー３の幅方向外側への移動を規制するように形成されている。また、立設部１３の開口方向外側の端部においては、カバー３に開口方向外側から当接し、開口方向外側への移動を規制する張り出し部１４が形成されている。即ち、カバー移動部Ｐのいずれの位置にある場合においても、このカバー３が筐体２から脱落しないように立設部１３が形成されている。
【００１７】
ガイド面１１は、筐体２の開口方向外側を向く端面において第一位置Ｐ１に形成される第一ガイド面１１ａと、第二位置Ｐ２に形成され開口面１２の両側縁に一致する第二ガイド面１１ｂと、第一ガイド面１１ａが第二ガイド面１１ｂと比較し開口方向外側に位置することによって第一ガイド面１１ａと第二ガイド面１１ｂとの境界に形成された段差１８と、第二ガイド面１１ｂの開口方向外側を向く端面の中途に形成される溝部１６と、溝部１６においてスライド方向他方側を向く面に形成された傾斜部１７とを有している。
【００１８】
カバー３は、開口面１２を開口方向外側から閉塞する蓋部２０と、蓋部２０の開口方向内側を向く面に設けられ、第二位置Ｐ２において開口部１０へ嵌合される弾性部材２２と、この弾性部材２２を幅方向外側から挟むように蓋部２０の開口方向内側を向く面より突設され、溝部１６に嵌合可能な一対のガイドリブ２１（被ガイド部材）とを有している。
【００１９】
そして、カバー３を開口方向外側から見た際には、上記弾性部材２２は蓋部２０に完全に隠れる大きさとなっている。また、弾性部材２２の開口方向内側を向く面の外縁からは圧入部２３が幅方向外側及び開口方向内側へ向かって膨出されており、カバー３が第二位置Ｐ２において開口面１２を閉塞する際、この圧入部２３が開口部１０の内面に押し付けられるように形成されている。
【００２０】
以上のような電子機器１においては、ガイド面１１上をガイドリブ２１が係合しながらスライド移動することによって、カバー３全体がカバー移動部Ｐにおける第一位置Ｐ１と第二位置Ｐ２との間をスライド移動することとなる。
【００２１】
まず、第一位置Ｐ１にカバー３が位置している際には、弾性部材２２及び圧入部２３は筐体２のいずれの部位にも接触していない状態となっている。
そして、カバー３を第二位置Ｐ２に向かってスライドさせ、ガイドリブ２１が段差１８を超え、カバー３が第二位置Ｐ２へ近づいた際、溝部１６に形成された傾斜部１７をガイドリブ２１が滑り落ち、ガイドリブ２１がこの溝部１６へ嵌合する。この時、ガイドリブ２１の開口方向内側を向く端面は溝部１６の底面に当接され、蓋部２０の開口方向内側を向く面が第二ガイド面１１ｂ及び開口面１２に密着する。また、蓋部２０のスライド方向他方側を向く端面は第二壁部９に当接される。従って、蓋部２０は段差１８と第二壁部９とによって囲まれた空間に収容され、カバー３が第二位置Ｐ２に到達する。
【００２２】
そして、カバー３が第二位置Ｐ２に到達した際には、開口面１２を開口方向外側から覆うと共に、圧入部２３が開口部１０の内面に接触し押し付けられることによって開口面１２を完全に閉塞し、開口部１０を外環境から遮断する。
【００２３】
逆に、第二位置Ｐ２から第一位置Ｐ１へカバー３をスライド移動させた際には、ガイドリブ２１が傾斜部１７を介して溝部１６から脱出し、圧入部２３が開口部１０の内面から脱離すると共に、蓋部２０が第二ガイド面１１ｂ及び開口面１２から開放される。その後、ガイドリブ２１は段差１８を超え、蓋部２０のスライド方向一方側を向く端面が第一壁部８に当接されることによって、カバー３が第一位置Ｐ１へ到達する。
【００２４】
このようにカバー３が第一位置Ｐ１と第二位置Ｐ２との間を往復する間、カバー３の開口方向内側を向く面は、常に開口方向内側を向いた状態でスライド移動される。このため、弾性部材２２及び圧入部２３は外環境に曝されることがないため、埃や塵の付着及び傷付きを抑制することができる。
【００２５】
さらに、第一位置Ｐ１と第二位置Ｐ２との間をカバー３がスライド移動する際には、ガイドリブ２１がガイド面１１に係合すると共に、蓋部２０の開口方向外側を向く面は張り出し部１４の開口方向内側に向く面と係合している。また、蓋部２０及びガイドリブ２１の幅方向外側を向く面は立設部１３によって幅方向外側への移動が規制されている。
従って、カバー３は開口方向と幅方向との双方から移動が規制され、筐体２からの脱落を防止されながらスライド移動する。
【００２６】
ここで、仮に筐体２に形成された立設部１３によってカバー３を支持し脱落を防止する構造を用いる代わりに、一般的に使用されるカバー３と筐体２とを接続する引き出し部材をカバー３に別途設け、カバー３の脱落防止を行なう場合においては、カバー３の開閉を繰り返す間に、この引き出し部材が消耗し破損する恐れがあった。
この点、本実施形態においてはカバー３の開閉によって消耗する部材が少なく、これによるカバー３の変形、破損を回避することができるため、開口部１０へのカバー３の嵌合不良を回避できる。また上記引き出し部材の破損によって、カバー３が筐体２から脱落し、紛失してしまうことがない。
【００２７】
本実施形態に係る電子機器１においては、カバー３がカバー移動部１２をスライド移動し、開口面１２を開放及び閉塞するという構造を採用している。このため、弾性部材２２及び圧入部２３は常に開口方向内側を向いており、また、弾性部材２２及び圧入部２３は、蓋部２０によって開口方向外側と遮断されるため、直接的に外環境の影響を受けることがない。従って、弾性部材２２及び圧入部２３に対する埃や塵の付着の抑制及び傷付き防止を達成でき、この結果、開口部１０の内面に対する圧入部２３の密着性低下を抑制するとともに、防水性能の向上を図ることが可能となる。
【００２８】
そして、本実施形態におけるスライド構造においては、カバー３を開口方向外側及び幅方向外側から支持する立設部１３が筐体２に形成されていることによって、カバー３の脱落を防止しながら、カバー３の開閉の繰り返し動作に対するカバー３の変形、破損等を回避できる。従って、カバー３の開口部１０への嵌合不良を回避でき、この結果、防水性能の向上を図ることができる。
【００２９】
以上、本実施形態についての詳細説明を行なったが、本発明の技術的思想を逸脱しない範囲内において、多少の設計変更も可能である。
例えば、上記ガイドリブ２１を筐体２側に設置し、溝部１６をカバー３側に形成してもよい。この場合においても、第二位置Ｐ２においてガイドリブ２１が溝部１６に嵌合し、カバー３が開口面１２を開口方向外側から閉塞することによって、開口部１０を外環境から遮断することができる。
【００３０】
また、本実施形態においては、カバー３をスライド移動させ、ガイドリブ２１を溝部１６に対して嵌脱させる際には、溝部１６に傾斜部１７を設けることによってこれら嵌脱の動作を円滑化している。しかし、この手法に限定せず、例えば、カバー３へ取っ手等を設けることによってガイドリブ２１の嵌脱動作を容易化してもよい。
【００３１】
さらに、ガイドリブ２１がガイド面１１と係合しながらスライドする構造によってカバー３がカバー移動部Ｐをスライド移動可能となるが、スライド移動の構造はこれに限定されることなく、例えば、筐体２に設けられたガイド面１１がレール形状のガイド部材であって、このガイド部材に対しカバー３が噛み込むように構成されていてもよい。
【００３２】
なお、本発明に係る電子機器１の基本構成は以下の通りとなっている。
即ち、基本構成は、開口部１０を有する筐体２と、この開口部１０を開放する第一位置Ｐ１と、第一位置Ｐ１よりも開口部１０の内側に位置して開口部１０を閉塞する第二位置Ｐ２との間でスライド移動可能とされた蓋部２０と、蓋部２０における開口部１０の内側を向く面に設けられ、蓋部２０が第一位置Ｐ１にある際に筐体２に接触不能とされるとともに、蓋部２０が第二位置Ｐ２にある際に開口部１０に圧入される弾性部材２２とからなっている。
【００３３】
そして、本実施形態における電子機器１は、上記基本構成に対しての一例を説明したものであるため、この実施形態に限定されない。
【産業上の利用可能性】
【００３４】
本発明によれば、開口部を有する筐体の、開口部への弾性部材の圧入不良を抑制することが可能となり、防水性能の向上を図ることができる。
【符号の説明】
【００３５】
１…電子機器、２…筐体、３…カバー、８…第一壁部、９…第二壁部、１０…開口部、１１…ガイド面、１１ａ…第一ガイド面、１１ｂ…第二ガイド面、１２…開口面、１３…立設部、１４…張り出し部、１６…溝部、１７…傾斜部、１８…段差、２０…蓋部、２１…ガイドリブ（被ガイド部）、２２…弾性部材、２３…圧入部、Ｐ…カバー移動部、Ｐ１…第一位置、Ｐ２…第二位置
【図１】
2012157414.tif 000003
【図２】
2012157414.tif 000004
【図３】
2012157414.tif 000005
【図４】
2012157414.tif 000006
【図５】
2012157414.tif 000007
【国際調査報告】
2012157414.tif 000008
2012157414.tif 000009
2012157414.tif 000010
2012157414.tif 000011